(57)【特許請求の範囲】
【請求項１】
敷地に形成した運動用周回路の内側縁及び外側縁に沿ってそれぞれ立設する内側フェンス及び外側フェンスと、該内側及び外側フェンスのいずれか一方の全長にわたって設けたガイドレールと、前記内側フェンスによって囲繞される敷地の略中央に位置して設置した回転駆動装置と、該回転駆動装置の回転体に放射状に配設され、先端側が前記運動用周回路上に伸長する複数本の仕切支持体と、該各仕切支持体の先端側に吊下され、前記運動用周回路を複数のブースに仕切る周回路仕切体とからなり、前記仕切支持体は伸縮自在に構成すると共に、その先端側には前記ガイドレールに案内されて走行することにより前記仕切支持体を伸縮させる走行誘導体を設けたことを特徴とする馬運動用構造物。
【請求項２】
前記仕切支持体は前記回転体に固着される固定ビームと、該固定ビームに進退可能に支持され、先端側に前記走行誘導体が設けられると共に前記周回路仕切体が吊下される可動ビームとから構成してなる請求項１記載の馬運動用構造物。
【請求項３】
前記固定ビームには先端から突出した状態でビーム支持体を固着し、該ビーム支持体によって前記可動ビームを略水平に支持させてある請求項２記載の馬運動用構造物。
【請求項４】
前記走行誘導体は前記仕切支持体に回動可能に設けた回動プレートと、該回動プレートに軸支され、前記ガイドレール上を走行する支持ローラと、前記ガイドレールを挟持するように前記回動プレートに軸支された複数のガイドローラとから構成してある請求項１記載の馬運動用構造物。
【発明の詳細な説明】
【０００１】
【発明の属する技術分野】
本発明は、乗馬用馬や競走馬（以下馬と総称する。）を周回路で運動させることにより調教、リハビリテーション、体重調整等のための各種のトレーニングを行うために使用する馬運動用構造物に関する。
【０００２】
【従来の技術】
従来、馬のトレーニングのための馬運動用構造物は、敷地に設けた略円形の周回路の内周縁及び外周縁に沿って環状にフェンスを立設し、周回路に囲まれる中心に回転駆動装置を設置し、回転駆動装置に先端側が周回路上に伸長する複数本の回転支持体を設け、この回転支持体の先端側に周回路を画成する仕切ネットを吊下した構成からなっている。そして、回転駆動装置により回転支持体を介して仕切ネットを周回路に沿って回転させ、各仕切ネットにより画成されているブース内で馬を周回運動させるようになっている。
【０００３】
【発明が解決しようとする課題】
上述した従来の馬運動用構造物は、回転支持体の長さが一定であるために仕切ネットを円運動させることしかできないことから、周回路の形状も円形のドーナッツ状に形成せざるを得ないという制約がある。このため、敷地が狭い場合には周回路の外側直径を小さく設定しなければならないが、馬の体格や足への負担等を考慮すると設定できる最小限の直径に限界があるために、敷地の幅等が限られている場合には構造物自体を設置できないという欠点がある。
【０００４】
また、周回路の直径があまり小さいと、馬は単調な円運動を強いられるためにストレスが掛るという問題や、一方向のみの回転歩行を行うために足に負担が掛かるという問題もある。
【０００５】
本発明は上述した従来技術の諸欠点や問題点に鑑みなされたもので、運動用周回路を楕円形等の非円形形状に形成できるので、敷地の幅や形状に制約がある場合にも設置できるし、馬は円運動のみならず直線運動も行なうことができるので単調な運動による馬のストレスを解消できるし、足に掛かる負担も軽減することができる馬運動用構造物を提供することを目的とする。
【０００６】
【課題を解決するための手段】
上述した課題を解決するために構成された本発明の手段は、敷地に形成した運動用周回路の内側縁及び外側縁に沿ってそれぞれ立設する内側フェンス及び外側フェンスと、該内側及び外側フェンスのいずれか一方の全長にわたって設けたガイドレールと、前記内側フェンスによって囲繞される敷地の略中央に位置して設置した回転駆動装置と、該回転駆動装置の回転体に放射状に配設され、先端側が前記運動用周回路上に伸長する複数本の仕切支持体と、該各仕切支持体の先端側に吊下され、前記運動用周回路を複数のブースに仕切る周回路仕切体とからなり、前記仕切支持体は伸縮自在に構成すると共に、その先端側には前記ガイドレールに案内されて走行することにより仕切支持体を伸縮させる走行誘導体を設けたものからなる。
【０００７】
そして、前記仕切支持体は前記回転体に固着される固定ビームと、該固定ビームに進退可能に支持され、先端側に前記走行誘導体が設けられると共に前記周回路仕切体が吊下される可動ビームとから構成するとよい。
【０００８】
また、前記固定ビームには先端から突出した状態でビーム支持体を固着し、該ビーム支持体によって前記可動ビームを略水平に支持する構成にするとよい。
【０００９】
更に、前記走行誘導体は前記仕切支持体に回動可能に設けた回動プレートと、該回動プレートに軸支され、前記ガイドレール上を走行する支持ローラと、前記ガイドレールを挟持するように前記回動プレートに軸支された複数のガイドローラとから構成するとよい。
【００１０】
【発明の実施の形態】
以下、本発明の実施の形態を図面に基づき詳述する。図において、１は敷地に形成した楕円形の運動用周回路を示し、該運動用周回路１は敷地を整地してその上に木片チップ等のクッション材を敷き詰めて形成してある。２は前記運動用周回路１の内周縁に沿って敷地に立設した内側フェンスを示し、該内側フェンス２は所定の間隔で立設した複数本の支柱と、該各支柱間に連設したフェンス板とから構成してある。３は前記内側フェンス２の上端に全長にわたって周設したガイドレールを示し、該ガイドレール３は角型中空鋼材を内側フェンス２の上端に溶接手段により固着したものからなっている。他方、４は外側フェンスで、該外側フェンスも内側フェンス２と同様に複数本の支柱と、該各支柱間に連設したフェンス板とから構成してあり、外側フェンス４の上端には運動用周回路１を覆うように片屋根５が傾斜させて突設してある。
【００１１】
６は内側フェンス２によって囲繞される敷地Ａの略中央に設置した回転駆動装置を示す。該回転駆動装置６は脚部７と、該脚部７上に載置した駆動装置本体８とからなり、該駆動装置本体８は電動モータと、減速機構を介して該電動モータと接続された回転支持体８Ａとから構成してあり、運動用周回路１の傍らに設置した制御盤により始動、停止及び回転速度等を制御するようにしてある。
【００１２】
９、９、・・・は前記回転支持体８Ａに放射状に支持され、先端側が運動用周回路１上に伸長した８本の仕切支持体である。１０は該各仕切支持体９を構成する角型中空鋼材からなる固定ビームを示し、該固定ビーム１０の先端のフランジ１０Ａには各一対のローラ支持片１１Ａ、１１Ａを有する取付ブラケット１１を介して誘導ローラ１２、１２、・・が口状に取着してある。そして、固定ビーム１０は後述する可動ビーム１４の長さとその進退するストロークを考慮して後端側１０Ｂを回転支持体８Ａより後方に突出させた状態で支持させてあり、かつ回転駆動装置６に突設したポール１３Ａから各固定ビーム１０にケーブル１３Ｂを張設した構成のビーム吊り下げ体１３によって固定ビーム１０を水平に保持している。１４は該各固定ビーム１０に進退可能に挿入され、各誘導ローラ１２によって円滑に進退できるように支持された可動ビームで、該可動ビーム１４にも角型中空鋼材を用いている。
【００１３】
１５は前記可動ビーム１４の先端側１４Ａが運動用周回路１の上方に位置するように可動ビーム１４をガイドレール３に沿って進退させるための走行誘導体を示し、該走行誘導体１５は可動ビーム１４に縦方向に挿着した支持軸１６と、該支持軸１６の下端側に軸受１７を介して回動可能に取着した回動プレート１８と、ガイドレール３を挟持するように一側に１個、他側に２個を該回動プレート１８に軸着した３個のガイドローラ１９、１９、１９とから構成してある。かくして、各々の仕切支持体９は固定ビーム１０と、固定ビーム１０を水平に保持するビーム吊り下げ体１３と、固定ビーム１０に進退可能に挿入支持された可動ビーム１４と、可動ビーム１４の先端側に設けた走行誘導体１５とから構成してある。
【００１４】
２０、２０、・・・は前記可動ビーム１４の各々を略水平に支持するためのビーム支持体を示す。２１は該ビーム支持体２０を構成し、Ｈ型鋼材を倒置状にして配置した支持ビームで、該支持ビーム２１は先端側２１Ａが内側フェンス２に接近するように固定ビーム１０の先端から前方に突出した状態で複数の連結片２２、２２、・・により固定ビーム１０に固着してあり、先端にはストッパ片２３が固着してある。２４は走行誘導体１５より若干後方に位置して可動ビーム１４に軸支した走行支持車で、該走行支持車２４は可動ビーム１４に取付ボルト２４Ａにより接続した凵状の支持ブラケット２４Ｂと、該支持ブラケット２４Ｂに軸支され、支持ビーム２１上を走行する一対の走行ローラ２４Ｃ、２４Ｃとから構成してある。
【００１５】
２５は走行誘導体１５より前方に位置して可動ビーム１４の先端側１４Ａに吊下され、運動用周回路１を複数のブースＢ、Ｂ、・・・に仕切る周回路仕切体で、該各周回路仕切体２５は連結環を介して可動ビーム１４に吊下された仕切ネット部２５Ａと、該仕切ネット部２５Ａから吊り下げたゴム製の仕切カーテン部２５Ｂとから構成してある。
【００１６】
本実施の形態は上述の構成からなり、各周回路仕切体２５により運動用回周路１に画成したブースＢ、Ｂ、・・・内に馬を収容し、回転駆動装置６により周回路仕切体２５を回転させることによって馬の運動を行なう動作については円形の運動用周回路に用いる従来技術と異なるところはない。しかし、本実施の形態によれば各仕切支持体９は固定ビーム１０に可動ビーム１４を進退可能に支持させ、かつ可動ビーム１４は内側フェンス２に設けたガイドレール３を走行する走行誘導体１５によって進退する構成にしたから、敷地の形状に対応して、或は構築物等を回避して楕円形、三角形等の非円形の運動用周回路に形成することができる。
【００１７】
また、長尺で重量のある固定ビーム１０及び可動ビーム１４はビーム支持体２０でその重量を支持する構成にすることにより、走行誘導体１５はガイドレール３に対して円滑に走行することができる。
【００１８】
なお、本実施の形態では内側フェンス２にガイドレール３を設けたが、外側フェンス４にガイドレールを設けた構成にしてもよいものである。
【００１９】
次に、図６及び図７は第２の実施の形態を示す。なお、前述した第１の実施の形態の構成要素と同一の構成要素には同一の符号を付して援用し、その説明を省略する。図において、３１は仕切支持体、３２は該仕切支持体３１を構成する可動ビームを示し、該可動ビーム３２は長尺ビーム部３２Ａと、該長尺ビーム部３２の先端にボルト・ナット３３により着脱可能に連結した交換ビーム部３２Ｂとから構成してある。３４は交換ビーム部３２Ｂに設けた走行誘導体を示す。該走行誘導体３４は交換ビーム部３２Ｂに縦方向に挿着した支持軸１６と、該支持軸１６の下端側に軸受１７を介して回動可能に取着した回動プレート３５と、該回動プレート３５の下面に一対の支持ブラケット３６、３６を介して軸着され、ガイドレール３上を走行する前後４個の支持ローラ３７、３７、・・と、ガイドレール３を挟持するように一側に１個、他側に２個を該回動プレート３５に軸着した３個のガイドローラ１９、１９、１９とから構成してある。
【００２０】
本実施の形態によれば、可動ビーム３２を長尺ビーム部３２Ａと交換ビーム部３２Ｂとから構成し、交換ビーム部３２Ｂに設ける走行誘導体３４にはガイドレール３上を走行する支持ローラ３７、３７、・・を設けることにより、仕切支持体３１の荷重はガイドレール３を介して内側フェンス２で受承するようにしたから、第１の実施の形態におけるビーム支持体２０を用いずに仕切支持体３１を略水平に保持することができるし、円滑に回転させることができる。また、走行誘導体３４を新しいものと交換する場合、交換ビーム部３２Ｂと一体に交換することができるので作業性がよい。
【００２１】
【発明の効果】
本発明は以上詳述した如く構成したから、下記の諸効果を奏する。
（１）回転しながら周回路仕切体を支持する仕切支持体は伸縮可能に構成、且つ内側又は外側フェンスに設けたガイドレールに沿って伸縮するように構成したから、楕円形等の非円形の運動用周回路を形成することが可能であり、敷地の幅や形状に制約がある場合や建造物がある場合にもこれを回避した形で運動用周回路を形成することができる。
（２）運動用周回路が円形の場合、馬は単調な一方向の円運動を行なうためにストレスが掛ったり、足に負担が掛かるという問題があったが、本発明によれば非円形の運動用周回路に形成できるから、馬は円運動のみならず直線運動もできることになり従来技術が抱えていた問題を解消することができる。
（３）伸縮可能な仕切支持体を構成する固定ビームにビーム支持体を固着し、該ビーム支持体によって可動ビームを略水平に支持する構成にしたから、走行誘導体はガイドレールに対して円滑に走行することができる。
（４）走行誘導体にガイドレール上を走行する支持ローラを設け、仕切支持体の荷重はガイドレールを介して内側又は外側フェンスで受承するように構成したから、長尺の仕切支持体を全長にわたって水平に保持することができるし、円滑に回転させることができる。
【図面の簡単な説明】
【図１】図１乃至図５は本発明の第１の実施の形態に係り、図１は馬運動用構造物の全体構成図である。
【図２】馬運動用構造物の平面図である。
【図３】仕切支持体、走行誘導体及びビーム支持体の要部拡大図である。
【図４】走行誘導体の平面図である。
【図５】図３中のＶ−Ｖ矢示方向断面図である。
【図６】図６及び図７は第２の実施の形態に係り、図６は走行誘導体の平面図である。
【図７】走行誘導体の正面図である。
【符号の説明】
１            運動用周回路
２            内側フェンス
３            ガイドレール
４            外側フェンス
６            回転駆動装置
８Ａ          回転支持体
９、３１      仕切支持体
１０          固定ビーム
１４、３２    可動ビーム
１５、３４    走行誘導体
２０          ビーム支持体
２５          周回路仕切体
【図１】
0003864294.tif 000002
【図２】
0003864294.tif 000003
【図３】
0003864294.tif 000004
【図４】
0003864294.tif 000005
【図５】
0003864294.tif 000006
【図６】
0003864294.tif 000007
【図７】
0003864294.tif 000008